(57)【特許請求の範囲】
【請求項１】
前記ネットワークのセル内においてブロードキャスト・チャネル上で前記ネットワークの能力に関する情報をブロードキャストするステップを含むセルラ無線ネットワークを動作させる方法であって、前記方法がさらに、
ネットワークのコアの緊急呼能力に交換されるパケットに関する情報、および前記セルのアクセス・ノードの緊急呼能力に交換されるパケットに関する情報を前記アクセス・ノードのブロードキャスト・チャネル上でブロードキャストするステップと、ついで、
前記パケット・コアおよび前記アクセス・ノードが緊急呼に交換されるパケットをサポートすることをブロードキャストする情報が示す場合、移動端末（ＵＥ）が前記セルにおける緊急呼を実行することを可能にするステップと
前記パケット・コアまたは前記アクセス・ノードのいずれも緊急呼に交換されるパケットをサポートしないことをブロードキャストする情報が示す場合、移動端末は回線交換緊急呼に戻るか、または、回線交換緊急呼をサポートする他のセルを選択するステップとを含む方法。
【請求項２】
前記ブロードキャストされた情報は、パケット交換緊急呼についてのローカル規則、およびオペレータのポリシーのうちの少なくとも１つに関する情報を含む、請求項１に記載の方法。
【請求項３】
前記緊急呼能力は、ＩＭＳ緊急呼能力である、請求項１または２に記載の方法。
【請求項４】
前記アクセス・ノードは、ＬＴＥ規格に従うｅＮｏｄｅＢ基地局である、請求項１に記載の方法。
【請求項５】
移動端末（ＵＥ）とネットワーク・ノードの間のシグナリングが、前記コアネットワークの前記パケット交換緊急呼能力に関する情報を前記ＵＥに送ることを含む、請求項１乃至４のいずれか１項に記載の方法。
【請求項６】
前記パケット・コア能力情報は、ハンドオーバ手順中に前記ＵＥに送られる、請求項５に記載の方法。
【請求項７】
セルラ無線ネットワークのセル内においてブロードキャスト・チャネル上で前記ネットワークのパケット交換緊急呼能力に関する情報をブロードキャストするように構成された送信機を備える前記ネットワークのための基地局であって、
前記送信機がネットワークのコアの緊急呼能力に交換されるパケットに関する情報、および前記基地局の緊急呼能力に交換されるパケットに関する情報を前記基地局の前記ブロードキャスト・チャネル上でブロードキャストする、基地局。
【請求項８】
前記ブロードキャストされた情報は、パケット交換緊急呼についてのローカル規則およびオペレータのポリシーのうちの少なくとも１つに関する情報を含む、請求項６または７に記載の基地局。
【請求項９】
前記緊急呼能力は、ＩＭＳ緊急呼能力である、請求項７または８に記載の基地局。
【請求項１０】
前記基地局は、ＬＴＥ規格に従うｅＮｏｄｅＢ基地局である、請求項７、８、または９に記載の基地局。
【請求項１１】
セルラ無線ネットワークであって、請求項７〜１０のいずれか１項に記載の基地局を含む、セルラ無線ネットワーク。
【請求項１２】
無線セルラ・ネットワークのセルのブロードキャスト・チャネルを受信し、前記ブロードキャスト・チャネル上の情報を検出するための受信機を備える前記ネットワークと共に使用するための移動端末であって、
前記受信機が、
前記アクセス・ノードのブロードキャスト・チャネル上でブロードキャストされる、ネットワークのコアの緊急呼能力に交換されるパケットに関する情報、および前記セルのアクセス・ノードの緊急呼能力に交換されるパケットに関する情報を受信する手段と、
ブロードキャストされる情報が、前記パケット・コアおよび前記アクセス・ノードが緊急呼に交換されるパケットをサポートすることを示す場合、前記セルにおける緊急呼に交換されるパケットを実行することを決定する手段と、
ブロードキャストされる情報が、前記パケット・コアまたは前記アクセス・ノードのいずれも緊急呼をサポートしないことを示す場合、回線交換緊急呼に戻るか、または、回線交換緊急呼をサポートする他のセルを選択する手段とを含む移動端末。
【発明の詳細な説明】
【技術分野】
【０００１】
本発明は、セルラ無線ネットワーク、およびそのようなネットワークを動作させる方法に関する。
【背景技術】
【０００２】
セルラ無線ネットワークに関する重要な問題の１つは、移動端末（ＵＥ）によって行われる緊急呼についての取扱いである。例えば、ロング・ターム・エボリューション（Ｌｏｎｇ  Ｔｅｒｍ  Ｅｖｏｌｕｔｉｏｎ）（ＬＴＥ）ネットワークは、パケット交換（ＰＳ）ネットワークであるが、緊急呼は、通常、回線交換（ＣＳ）ドメインで取り扱われている。ＩＭＳ（ＩＰマルチメディア・システム（ＩＰ  Ｍｕｌｔｉｍｅｄｉａ  Ｓｙｓｔｅｍ））を用いて、ＰＳネットワークを介して緊急呼を開始することも可能である。しかし、ＵＥがＩＭＳ緊急呼を行うためには、そのネットワークがＩＭＳ緊急呼能力を有するかどうかをＵＥが知る必要がある。そうしたネットワークは、通常は、複数の基地局とパケット・コアとを含み、本明細書では、コア・ネットワーク（ＣＮ）とも呼ばれる。ＵＥが緊急呼を必要なときに行うことができず、緊急呼を行うために代わりの装置を見つけなければならない場合、遅延が発生することがある。
【０００３】
第３世代パートナーシップ・プロジェクト（３ＧＰＰ）標準に準拠したネットワークで使用される解決策として、コア・ネットワークがシグナリング手順においてＩＭＳ緊急呼のネットワーク・サポートを示すことが提案されている。しかし、この方法それ自体は、すべてのシナリオを扱えず、例えば、ＵＥが限定されたサービス状態（ｌｉｍｉｔｅｄ  ｓｅｒｖｉｃｅ  ｓｔａｔｅ）にある場合に不十分となることがある。限定されたサービス状態では、例えば、ＵＥがＳＩＭを備えていない状態では、ＵＥはネットワークに対しどのシグナリング手順も実行することができず、したがって、ＵＥは、ネットワークがＩＭＳ緊急呼をサポートするかどうかを認識しない。さらに、提案された解決策は、コア・ネットワークがＩＭＳ緊急呼をサポートする場合に基地局も必ずＩＭＳ緊急呼をサポートすることを想定している。本発明者は、例えば、基地局がアップグレードされる前にコア・ネットワークがアップグレードされるという現実的展開のシナリオにおいて、その想定が適用できるとは限らないことを認識している。ＵＥがＩＭＳ緊急呼を行うことが可能になるように、ＵＥがアタッチするパケット・コアおよび基地局の両方が、ＩＭＳ緊急呼を取り扱う能力を有していなければならない。
【０００４】
パケット・コアとＵＥの間のシグナリングは、３ＧＰＰ  ＴＳ  ２４．３０１「発展型パケット・システム（ＥＰＳ）用の非アクセス層プロトコル（ＮＡＳ）（Ｎｏｎ−Ａｃｃｅｓｓ−Ｓｔｒａｔｕｍ  （ＮＡＳ）  ｐｒｏｔｏｃｏｌ  ｆｏｒ  Ｅｖｏｌｖｅｄ  Ｐａｃｋｅｔ  Ｓｙｓｔｅｍ  （ＥＰＳ））」で取り扱われる。
【発明の概要】
【課題を解決するための手段】
【０００５】
本発明の一態様によれば、セルラ無線ネットワークを動作させる方法は、ネットワークのセル内においてブロードキャスト・チャネル上でネットワークのパケット交換緊急呼能力に関する情報をブロードキャストすることを含む。ブロードキャストされた情報は、パケット交換緊急呼についてのネットワーク・サポート、ローカル規則、およびオペレータ・ポリシー（ｏｐｅｒａｔｏｒｓ  ｐｏｌｉｃｙ）のうちの少なくとも１つに関する情報を含むことができる。一実施形態では、緊急呼能力は、ＩＭＳ緊急呼能力であるが、利用可能であれば、他のパケット交換プロトコルを使用してもよい。
【０００６】
ある方法では、ブロードキャストされた情報は、ネットワークに含まれるアクセス・ノードの緊急呼能力を含む。アクセス・ノードは、例えば、ＬＴＥ規格に従うｅＮｏｄｅＢ基地局とすることができるが、本発明は、他の技術タイプのネットワークに適用することもできる。ある方法では、移動端末（ＵＥ）とネットワーク・ノードの間のシグナリングは、パケット・コアのパケット交換緊急呼能力に関する情報をＵＥに送るために使用される。パケット・コア緊急呼能力情報は、例えば、ハンドオーバ手順中にＵＥに送ることができるが、都合がよければ、他のタイミングが用いられてもよい。
【０００７】
本発明の使用により、ネットワークが、例えば、ＩＭＳ緊急呼または他のパケット交換緊急呼のネットワークによるサポートをＵＥへ示すための、柔軟で効率的な方法を提供することができ、また、他の手法を補完することもできる。
【０００８】
本発明による一方法は、ＵＥがどんな状態であるかにかかわらず、ネットワーク緊急呼能力をＵＥに示す方法を提供することができる。それにより、ＵＥが限定されたサービス状態にあるとき、呼設定時間を改善することができる。それにより、ＵＥは、セルにキャンプオン（ｃａｍｐ  ｏｎ）する必要なしに、ネットワーク緊急呼能力を知ることが可能になり、したがって、ＵＥは、ネットワーク・シグナリングを必要とせずに、セルにキャンプオンする前に何をしたいかを決定できるようにされうる。本発明による一方法は、ＵＥが完全なＩＭＳ緊急呼の利用可能性を確保できることをＵＥが仮定せずに、コア・ネットワークがＩＭＳ緊急呼能力を有する一方、基地局が非ＩＭＳ緊急呼能力を有することを可能にすることができる。これは、ネットワークの異なる部分が異なる時間にアップグレードされるというアップグレードのシナリオについて柔軟性を与える。
【０００９】
本発明による一方法では、ブロードキャストされた情報は、パケット・コアのパケット交換緊急呼能力を含む。
【００１０】
本発明の第２の態様によれば、セルラ無線ネットワークのための基地局は、ネットワークのセル内においてブロードキャスト・チャネル上でネットワークのパケット交換緊急呼能力に関する情報をブロードキャストするように構成された送信機を備える。ブロードキャストされた情報は、パケット交換緊急呼についてのネットワーク・サポート、ローカル規則、およびオペレータ・ポリシーのうちの少なくとも１つに関する情報を含むことができる。一実施形態では、緊急呼能力は、ＩＭＳ緊急呼能力であるが、利用可能であれば、他のパケット交換プロトコルを使用してもよい。
【００１１】
本発明の第３の態様によれば、セルラ無線ネットワークは、ネットワークのセル内においてブロードキャスト・チャネル上でネットワークのインターネット・パケット交換緊急呼能力に関する情報をブロードキャストするように構成されたネットワーク・ノードを含む。ブロードキャストされた情報は、パケット交換緊急呼についてのネットワーク・サポート、ローカル規則、およびオペレータ・ポリシーのうちの少なくとも１つに関する情報を含むことができる。一実施形態では、緊急呼能力は、ＩＭＳ緊急呼能力であるが、利用可能であれば、他のパケット交換プロトコルを使用してもよい。
【００１２】
本発明の第４の態様によれば、無線セルラ・ネットワークと共に使用するための移動端末は、基地局のブロードキャスト・チャネルを受信し、ネットワークのパケット交換緊急呼能力についてのブロードキャスト・チャネル上の情報を検出するための受信機を備える。
【００１３】
次に、本発明のいくつかの実施形態を単に例示として添付の図面を参照して説明する。
【図面の簡単な説明】
【００１４】
【図１】本発明によるネットワークを概略的に示す図である。
【図２】本発明によるネットワークを概略的に示す図である。
【図３】本発明によるネットワークを概略的に示す図である。
【発明を実施するための形態】
【００１５】
複数の基地局とパケット・コアとを含むＬＴＥセルラ無線ネットワークでは、ネットワークは、ブロードキャスト・チャネル上でパケット交換緊急呼能力をブロードキャストする。次の例では、緊急呼能力は、ＩＭＳ緊急呼能力である。緊急呼能力を示す表示は、（下記の事例１で説明される）基地局のＩＭＳ緊急呼能力のみとしても、（下記の事例２で説明される）基地局とコア・ネットワークの両方の組み合わされた能力を示す表示としてもよい。
【００１６】
図１を参照すると、事例１では、ＵＥがパケット・コア緊急呼能力に関してシグナリングを介して独立して通知を受ける従来の解決策が、ブロードキャスト・チャネルを介して基地局の緊急呼能力に関する情報も送ることにより補完されている。ＵＥは、パケット・コアと基地局の両方がＩＭＳ緊急呼をサポートする場合に初めてＩＭＳ緊急呼を行うことになる。これが可能でない場合、ＵＥは、緊急呼を行うための代替手段を探し出すことができる。
【００１７】
まずＳＩＭを有するＵＥがオンにされると、ＵＥは、セルを選択し、選択された基地局を介してパケット・ネットワークに対し初期アタッチ手順を実行する。その間、ＵＥが、ブロードキャスト・チャネル上で送信された情報を介して、基地局がＩＭＳ緊急呼をサポートするかどうかを発見する。初期アタッチが完了すると、ＵＥは、パケット・コアがＩＭＳ緊急呼をサポートするかどうかを知る。パケット・コアと基地局の両方がサポートを示している場合、ＵＥはセル内でＩＭＳ緊急呼を行うことを可能にされる。どちらか一方がＩＭＳ緊急呼を自身がサポートしないこと示す場合、ＵＥは、例えば、ＩＭＳ緊急呼をサポートする他のセルを選択するか、または、回線交換緊急呼を可能にするセルにキャンプオンすることを決定することができる。ＵＥは、呼解放または初期アタッチの後にセルにキャンプオンすると、ネットワークの能力を突き止めるためにブロードキャスト・チャネルを読み取る。
【００１８】
ＵＥは、同じトラッキング・エリア（ｔｒａｃｋｉｎｇ  ａｒｅａ）／位置登録エリア（ｌｏｃａｔｉｏｎ  ａｒｅａ）内のあるセルから別のセルに移動するとき、ＩＭＳ緊急呼能力についての全体に関する最新の情報をＵＥが有するように基地局緊急呼能力を更新する。ＵＥが、あるトラッキング・エリア／位置登録エリア内のセルから異なるトラッキング・エリア／位置登録エリア内の別のセルに移動するときは、基地局ＩＭＳ緊急呼能力が更新されるだけでなく、パケット・コア能力も更新されうる。
【００１９】
ＩＭＳ緊急呼なしのハンドオーバの際に、ＵＥは、ブロードキャスト・チャネルを介してターゲット・セルがＩＭＳ緊急呼能力をサポートするかどうかを割り出すとともに、トラッキング・エリア／位置登録エリア更新手順によってパケット・コア能力を知ることができる。
【００２０】
進行中のＩＭＳ緊急呼を有するハンドオーバの際は、ターゲット・セルおよびコア・ネットワークがＩＭＳ緊急呼をサポートする場合、ハンドオーバが受諾され、ＩＭＳ緊急呼がターゲット・セル内に進むことができる。そうでなければ、ハンドオーバは拒否され、元のセルが何をすべきかを決定しなければならない。
【００２１】
ＵＥが、例えば、ＳＩＭを有していないために限定されたサービス状態でセルにキャンプオンする場合、ＵＥは、少なくとも、ブロードキャスト・チャネルから基地局ＩＭＳ緊急呼能力を入手し、その情報を使用して、そのセル内に留まるかそれともＣＳ緊急呼をサポートする他のセルを選択するかを決定することができる。禁止された位置登録エリア／トラッキング・エリアやローミングの不許可などの理由で限定されたサービス状態でＵＥがセルにキャンプオンする場合、ＵＥは、シグナリング手順からパケット・コアＩＭＳ緊急呼能力を知る。
【００２２】
図２を参照すると、事例２では、パケット・コアおよび基地局の組み合わされたパケット交換緊急呼能力が、ブロードキャスト・チャネルで示される。この方法は、緊急呼能力を決定するためにパケット・コアのシグナリング手順からの表示を必要としない。まずＳＩＭを有するＵＥがオンにされると、ＵＥは、セルを選択しブロードキャスト・チャネルを読み取って、ネットワークがＩＭＳ緊急呼をサポートするかどうかを確認する。ネットワークがその能力をサポートする場合、ＵＥは、アタッチに成功後に適切なセルとしてそのセルにキャンプオンすることができ、その後、ＩＭＳ緊急呼を行うことが可能である。ネットワークがその能力をサポートしない場合、ＵＥは、やはり、アタッチに成功後に適切なセルとしてそのセルにキャンプオンすることが可能であるが、ＵＥは、回線交換緊急呼に戻るか、または、回線交換音声サービスをサポートする他のＲＡＴ（無線アクセス技術（Ｒａｄｉｏ  Ａｃｃｅｓｓ  Ｔｅｃｈｎｏｌｏｇｙ））の任意のセルを選択しなければならない。
【００２３】
ＵＥは、セル再選択をすると、ネットワーク能力を現在のサービング・セル（ｓｅｒｖｉｎｇ  ｃｅｌｌ）に更新する。サービング・セルがＩＭＳ緊急呼をサポートしない場合、ＵＥは、やはり適切なセルとしてそのセルにキャンプオンすることが可能であるが（トラッキング・エリアの更新なし、または成功したトラッキング・エリアの更新の場合）、回線交換緊急呼に戻るか、または、回線交換音声サービスをサポートする他のＲＡＴの任意のセルを選択しなければならない。ＩＭＳ緊急呼なしのハンドオーバの際、ＵＥは、ブロードキャスト・チャネルを介してターゲット・セルがＩＭＳ緊急呼をサポートするかどうかを発見する。
【００２４】
進行中のＩＭＳ緊急呼を有するハンドオーバの際、元の基地局が、「ハンドオーバ要求（ｈａｎｄｏｖｅｒ  ｒｅｑｕｉｒｅｄ）」メッセージを介してターゲット・パケット・コアおよびターゲット・セルがＩＭＳ緊急呼をサポートするかどうかを決定する。ターゲット・パケット・コアおよびターゲット・セルが能力をサポートする場合、「ハンドオーバ要求」メッセージに対する肯定応答を元の基地局が受け取り、ＩＭＳ緊急呼はターゲット・セル内に進む。ターゲット・パケット・コアまたはターゲット・セルが能力をサポートしない場合、ハンドオーバが拒否され、元の基地局は、緊急呼を継続するために、例えば、回線交換音声呼に切り換える、またはＩＭＳ緊急呼をサポートするＵＴＲＡＮなどの、他のＲＡＴを探し出して、代替方法を見つける必要がありうる。
【００２５】
ＵＥが、ＳＩＭを有していない、または、例えば禁止されたトラッキング・エリアやローミングの不許可など他の理由で、限定されたサービス状態にある場合、ＵＥは、ブロードキャスト・チャネルから能力表示を読み取り、留まるか（ＩＭＳ緊急呼がサポートされている場合）、あるいは、能力をサポートする他のセルまたは回線交換緊急呼をサポートする他のＲＡＴの任意のセルに移動するか（ＩＭＳ緊急呼がサポートされていない場合）を決定する。
【００２６】
共用ネットワークでは、基地局（またはＬＴＥにおけるｅＮｏｄｅＢ）は、異なる公衆陸上移動体網（ｐｕｂｌｉｃ  ｌａｎｄ  ｍｏｂｉｌｅ  ｎｅｔｗｏｒｋｓ）（ＰＬＭＮ）の複数のＣＮをサポートすることができる。それらのＣＮのいくつかが、ＩＭＳ緊急呼をサポートすることがある。少なくとも１つのＣＮがＩＭＳ緊急呼をサポートするとした場合、ブロードキャスト・チャネル上の表示は、それがＩＭＳ緊急呼をサポートすることを示す。その場合、ＵＥがＩＭＳ緊急呼を行うと、基地局は、ＩＭＳ緊急呼をサポートするＣＮを介して緊急呼を設定することになる。
【００２７】
図３を参照すると、事例２の変形例では、基地局およびパケット・コアのＩＭＳ緊急呼能力が、ブロードキャスト・チャネルとパケット・コア・シグナリングの両方を介してＵＥに送られる。この方法は、ＵＥへブロードキャスト・チャネルとパケット・コア・シグナリングの両方で基地局およびパケット・コアの緊急呼能力を示す。まずＳＩＭを有するＵＥがオンにされると、ＵＥは、セルを選択し、コア・ネットワークに対し初期アタッチ手順を実行する。初期アタッチが完了すると、ＵＥは、コア・ネットワークおよび基地局がＩＭＳ緊急呼をサポートするかどうかを認識する。サポートを示す場合、ＵＥは、セル内でＩＭＳ緊急呼を行うことを可能にされる。サポートされていない場合、ＵＥは、ＩＭＳ緊急呼をサポートする他のセルを選択するか、または、回線交換緊急呼を可能にするセルにキャンプオンすることを決定することができる。
【００２８】
ＵＥが、同じトラッキング・エリア／位置登録エリア内のあるセルから別のセルに移動するとき、ＵＥは、ブロードキャスト・チャネルを介して入ったセルの能力を認識する。ＵＥが、あるトラッキング・エリア／位置登録エリア内のセルから異なるトラッキング・エリア／位置登録エリア内の別のセルに移動するときは、ＵＥは、ブロードキャスト・チャネルまたはトラッキング・エリア更新／位置更新手順を介して能力を認識する。
【００２９】
ＩＭＳ緊急呼なしのハンドオーバの際に、ＵＥは、ブロードキャスト・チャネルを介して、あるいは、トラッキング・エリアまたは位置登録エリアの変更がある場合はトラッキング・エリア更新／位置更新手順によってパケット・コアから、ターゲット・セルがＩＭＳ緊急呼能力をサポートするかどうかを決定する。
【００３０】
進行中のＩＭＳ緊急呼を有するハンドオーバの際は、ターゲット・セルおよびコア・ネットワークがＩＭＳ緊急呼をサポートする場合、ハンドオーバが受諾され、ＩＭＳ緊急呼がターゲット・セル内に進む。そうでなければ、ハンドオーバは拒絶され、元のセルが何をすべきかを決定しなければならない。
【００３１】
ＵＥが、ＳＩＭを有していないかまたは他の理由で限定されたサービス状態にある場合、ＵＥは、ブロードキャスト・チャネルから能力表示を読み取り、留まるか（ＩＭＳ緊急呼がサポートされている場合）、あるいは、能力をサポートする他のセルまたは回線交換緊急呼をサポートする他のＲＡＴの任意のセルに移動するか（ＩＭＳ緊急呼がサポートされていない場合）を決定する。
【００３２】
本発明は、その精神または本質的特徴から逸脱することなく、他の特定の形態で実施されてもよい。上記の実施形態は、あらゆる点で単に例示であって限定的なものではないとみなされるべきである。したがって、本発明の範囲は、以上の説明よりむしろ添付の特許請求の範囲によって示される。特許請求の範囲の均等物の意味および範囲内に入るすべての変更は、特許請求の範囲の範囲内に含まれるべきである。
【図１】
0005404903.tif 000002
【図２】
0005404903.tif 000003
【図３】
0005404903.tif 000004